(57)【要約】【課題】  通電検知素子が通電検知した時間を検出することによって、複雑な動作が可能な意外性、変化性に富む移動玩具及びそれを用いた移動玩具セットを提供する。【解決手段】  低屈折率顔料をバインダー樹脂に分散状態に固着させた多孔質層を支持体表面に設けた、吸液状態と非吸液状態で前記多孔質層の透明性を異にする水変色性シート材上を移動する移動玩具であって、前記移動玩具は、本体２に装備したモーター３、３′の駆動によって可動する少なくとも一対の移動体５、５′と、玩具本体下部に通電検知素子６を備えてなり、通電検知素子が多孔質層の吸液した箇所を通過する時間を検知することによって、前記移動体を停止、又は、移動速度或いは移動方向を変化させるよう構成した移動玩具１、及びそれを用いた移動玩具セット。【選択図】  図１
2015229043.tif 000002
【特許請求の範囲】
【請求項１】
低屈折率顔料をバインダー樹脂に分散状態に固着させた多孔質層を支持体表面に設けた、吸液状態と非吸液状態で前記多孔質層の透明性を異にする水変色性シート材上を移動する移動玩具であって、前記移動玩具は、本体に装備したモーターの駆動によって可動する少なくとも一対の移動体と、玩具本体下部に通電検知素子を備えてなり、通電検知素子が多孔質層の吸液した箇所を通過する時間を検知することによって、前記移動体を停止、又は、移動速度或いは移動方向を変化させるよう構成した移動玩具。
【請求項２】
報知部を有してなり、通電検知素子が多孔質層の吸液した箇所を通過する時間を検知することによって、前記移動体を停止、又は、移動速度或いは移動方向を変化させると共に、前記報知部を作動させるよう構成した請求項１記載の移動玩具。
【請求項３】
低屈折率顔料をバインダー樹脂に分散状態に固着させた多孔質層を支持体表面に設けた、吸液状態と非吸液状態で前記多孔質層の透明性を異にする水変色性シート材上を移動する移動玩具であって、前記移動玩具は、本体に装備したモーターの駆動によって可動する少なくとも一対の移動体と、玩具本体下部に通電検知素子と、報知部を備えてなり、通電検知素子が多孔質層の吸液した箇所を通過する時間を検知することによって、前記報知部を作動させるよう構成した移動玩具。
【請求項４】
水変色性シート材の多孔質層が吸液状態と、非吸液状態を検知する複数の通電検知素子を備えてなり、水変色性シート材の多孔質層が吸液した軌跡上を移動する請求項１乃至３のいずれか一項に記載の移動玩具。
【請求項５】
前記複数の通電検知素子の少なくとも一つが多孔質層の吸液した箇所を通過する時間を検知する素子である請求項４記載の移動玩具。
【請求項６】
請求項１乃至５のいずれか一項に記載の移動玩具と、低屈折率顔料をバインダー樹脂に分散状態に固着させた多孔質層を支持体表面に設けた、吸液状態と非吸液状態で前記多孔質層の透明性を異にする水変色性シート材とからなる移動玩具セット。
【請求項７】
水付着具を備えてなる請求項６記載の移動玩具セット。
【請求項８】
前記水付着具は、連続気孔を有するプラスチック多孔体又は繊維加工体を先端部材として適用した筆記具又は塗布具形態である請求項７記載の移動玩具セット。
【請求項９】
幅の異なる抜き像を有するステンシルを備えてなる請求項８記載の移動玩具セット。
【請求項１０】
前記幅の異なる抜き像が、複数の互いに平行な直線形状の抜き像である請求項９記載の移動玩具セット。
【請求項１１】
前記水付着具は、印面に幅の異なる印像を有するスタンプ具である請求項７記載の移動玩具セット。
【請求項１２】
前記幅の異なる印像が、複数の互いに平行な直線形状の印像である請求項１１記載の移動玩具セット。
【発明の詳細な説明】
【技術分野】
【０００１】
本発明は、移動面の通電状態を検知して作動する移動玩具及びそれを用いた移動玩具セットに関する。
【背景技術】
【０００２】
従来、玩具本体に移動体と通電検知素子を設け、移動面に形成した水の軌跡に沿って移動する移動玩具が開示されている（例えば、特許文献１参照）。
前記移動玩具は、移動の軌跡をより簡易且つ任意に設定でき、移動時の動きに変化性を付与できる。
【先行技術文献】
【特許文献】
【０００３】
【特許文献１】特開２００３−３２０１７６号公報
【発明の概要】
【発明が解決しようとする課題】
【０００４】
本発明はこの種の水を用いた移動玩具の遊戯性を高めるものであって、即ち、移動玩具の通電検知素子が通電検知した時間を検出することによって、所望の動作を正確に行わせることができる移動玩具及びそれを用いた移動玩具セットを提供しようとするものである。
【課題を解決するための手段】
【０００５】
本発明は、低屈折率顔料をバインダー樹脂に分散状態に固着させた多孔質層を支持体表面に設けた、吸液状態と非吸液状態で前記多孔質層の透明性を異にする水変色性シート材上を移動する移動玩具であって、前記移動玩具は、本体に装備したモーターの駆動によって可動する少なくとも一対の移動体と、玩具本体下部に通電検知素子を備えてなり、通電検知素子が多孔質層の吸液した箇所を通過する時間を検知することによって、前記移動体を停止、又は、移動速度或いは移動方向を変化させるよう構成した移動玩具、或いは、低屈折率顔料をバインダー樹脂に分散状態に固着させた多孔質層を支持体表面に設けた、吸液状態と非吸液状態で前記多孔質層の透明性を異にする水変色性シート材上を移動する移動玩具であって、前記移動玩具は、本体に装備したモーターの駆動によって可動する少なくとも一対の移動体と、玩具本体下部に通電検知素子と、報知部を備えてなり、通電検知素子が多孔質層の吸液した箇所を通過する時間を検知することによって、前記報知部を作動させるよう構成した移動玩具を要件とする。
更には、前記移動玩具と、低屈折率顔料をバインダー樹脂に分散状態に固着させた多孔質層を支持体表面に設けた、吸液状態と非吸液状態で前記多孔質層の透明性を異にする水変色性シート材とからなる移動玩具セット、前記移動玩具と、水変色性シート材と、水付着具とからなる移動玩具セット等を要件とする。
【発明の効果】
【０００６】
本発明は、通電検知素子が通電検知した時間を検出することによって、複雑な動作が可能な意外性、変化性に富む移動玩具及びそれを用いた移動玩具セットを提供できる。
また、前記移動玩具と水変色性シート材とを組み合わせたり、或いは、前記移動玩具と、水変色性シート材と、水付着具とを組み合わせた移動玩具セットは、携帯性にも優れた移動玩具セットを提供できる。
【図面の簡単な説明】
【０００７】
【図１】本発明移動玩具の一実施例の上方からみた状態を示す説明図である。
【図２】本発明移動玩具の一実施例の上方からみた状態を示す説明図である。
【図３】本発明移動玩具の一実施例の裏面からみた状態を示す説明図である。
【図４】本発明移動玩具の一実施例の側面からみた状態を示す説明図である。
【図５】本発明移動玩具の他の実施例の上方からみた状態を示す説明図である。
【図６】本発明移動玩具の他の実施例の上方からみた状態を示す説明図である。
【図７】本発明移動玩具の他の実施例の上方からみた状態を示す説明図である。
【図８】本発明移動玩具の他の実施例の裏面からみた状態を示す説明図である。
【図９】本発明移動玩具の他の実施例の側面からみた状態を示す説明図である。
【発明を実施するための形態】
【０００８】
前記移動玩具の本体の材質は特に限定されるものではなく、プラスチック、金属、木材等を例示できるが、プラスチックが好適に用いられる。
本体の形状としては、自動車や電車の形状を模したもの、人や動物等の形態を模したものが挙げられる。
移動玩具に設けられる一対の移動体は、両方又は片側のみ可動させて前進、後進する他、移動体が停止したり、速度を変えたり、向きを変える。更に、報知を可能にする機構を備えていてもよい。
【０００９】
玩具本体に設けられるモーターは、車輪や脚部等の移動体を直接又はギヤを介して可動させるものであり、少なくとも一対の移動体を備える場合、１つモーターにより両移動体を可動させると共に、ギヤの切り替えにより片側の移動体を選択的に可動させることもできるし、２つのモーターにより各移動体を独立して可動させる構成であってもよい。
更に、モーターの駆動によって可動すると共に変位する車輪を備える場合、１つモーターにより車輪を可動させると共に、ギヤの切り替えにより車輪の向きを変えることもできるし、２つのモーターにより車輪の可動と、車輪の変位を独立させる構成であってもよい。
【００１０】
前記モーターを駆動させる電源としては電池が好適に用いられ、一次電池或いは二次電池のいずれであってもよい。又、太陽電池を内蔵して、光源から電気を得たり、外部から有線により電気が供給される構成であってもよい。
【００１１】
前記本体の下部には、通電検知素子を設けてなる。
前記通電検知素子は、移動玩具が水変色性シート材の多孔質層が吸液した箇所を移動する際、吸液した箇所を通過した通電検知素子が通電し、通電時間を検知する。
前記通電検知素子が通電した時間によって、移動体を停止、又は、移動速度或いは移動方向を変化させたり、後述する報知部を作動させたり、移動体を停止、又は、移動速度或いは移動方向を変化させると共に報知部を作動させる。
これを詳しく説明すると、本体の下部に通電検知素子を設けた移動玩具の移動面上に水変色性シート材を載置して移動方向と垂直方向に１０ｍｍ幅の直線を形成し、前記水変色性シート材に通電検知素子が当接した状態で移動玩具を走行させると、通電検知素子が直線を垂直方向に通過し、通電検知素子は通電すると共に、通過する迄の時間を計測する。
１０ｍｍ幅の直線を通過する迄の時間を検知すると、移動玩具は移動体を停止、させたり、移動速度を変化させたり、移動方向を変化させたり、或いは、後述する報知部を作動させる。
前記水変色性シート材に形成する直線の幅を変化させて通過する迄の時間を変えることにより、該移動玩具は、停止、移動速度の変化、移動方向の変化、報知部による種々の報知を選択的に行うことができる。
また、水変色性シート材に複数の幅の異なる直線を形成し、前記水変色性シート材に通電検知素子が当接した状態で移動玩具を走行させることにより、第一の直線による通電時間を検知し、次いで、通電していない状態の時間を検知し、更に第二の直線による通電時間を検知するため、複数の線を幅や間隔を変化させて形成することにより、停止、移動速度の変化、移動方向の変化、報知部による報知をより複雑且つ選択的に行うことができる。
【００１２】
前記報知部としては、スピーカー等の音声発生手段、ＬＥＤ等の光発生手段が挙げられる。
前記音声発生手段から報知される音声は、音楽、物語、エンジン音等の効果音、人の声や動物の鳴き声、数字をカウントするもの、文字やアルファベットを読み上げるもの等が挙げられる。
前記光発生手段から報知される光は、発光、消光、発光と消光の繰り返し（点滅）が挙げられる。
前記スピーカーから所望の音を発生させるための電子音を制御する回路基板や光を制御する回路基板は、少なくとも回路全体の制御を行なう部分と、制御の手順を記憶する部分と、報知パターン（音や光）を記憶する部分とからなり、報知パターンを記憶する部分から順次読み出されたデータを信号に変換して出力し、音や光から発せられる。
【００１３】
また、前記移動玩具には水変色性シート材の多孔質層が吸液状態と、非吸液状態を検知する複数の通電検知素子を備えてなり、水変色性シート材の多孔質層が吸液した軌跡上を移動する機能を有していてもよい。
前記複数の吸液状態と、非吸液状態を検知する通電検知素子を備えた移動玩具としては、特開２００３−３２０１７６号公報に記載された、移動玩具本体に３つの素子を有してなり、各素子間の通電状態によって両移動体、或いは、片側の移動体をモーターにより選択的に可動させる移動玩具が挙げられる。
これを詳しく説明すると、玩具本体の下部に３つの素子を設けた移動玩具の移動面上に、予め導電性の軌跡を形成した後、前記軌跡上に素子が当接するよう玩具を載置して走行させると、３つの素子が全て通電状態では両後輪が回転して直進する。
軌跡が右方向に曲がった箇所にさしかかると、一つの素子は通電しなくなり、二つの素子のみ通電した状態となる。その際、いずれかの車輪のみ回転させることにより、玩具は旋回し、軌跡上を走行する。
旋回後は再び３つの素子が全て通電状態になり、直進するため軌跡上を逸脱することなく走行させることができる。
また、通電検知素子として、中心の通電検知素子と、その通電検知素子を囲んで配置される環状の通電検知素子を有し、素子の通電状態によって移動体をモーターにより可動させて軌跡上を走行する移動玩具であってもよい。
なお、前記複数の通電検知素子の少なくとも一つが通電時間を検知する素子であることにより、通電検知素子が通電した時間によって、移動体を停止、又は、移動速度或いは移動方向を変化させたり、後述する報知部を作動させたり、移動体を停止、又は、移動速度或いは移動方向を変化させると共に報知部を作動させる遊戯と、軌跡上を移動する遊戯を共に行わせることができ、いっそう遊戯性を高めることができる。
前記通電検知素子が通電した時間によって、移動体を停止、又は、移動速度或いは移動方向を変化させたり、後述する報知部を作動させたり、移動体を停止、又は、移動速度或いは移動方向を変化させると共に報知部を作動させる遊戯と、軌跡上を移動する遊戯と、軌跡上を移動する操作は、自動で行われる構成であってもよいし、スイッチにより切り替えて行われる構成であってもよい。
【００１４】
前記モーター、電源、通電検知素子、必要により報知部、報知部を制御する回路基板は、それぞれが電気的に接続されてなり、必要によりスイッチを介在してなる。
前記スイッチは、電源を接続又は切断するスイッチ、音量を調節するスイッチの他、電子音を制御する回路基板に複数の電子音が記憶されている場合は、前記電子音を選択するスイッチ等が挙げられる。
【００１５】
前記のようにして得られる移動玩具は、導電性の軌跡上を移動するものであり、前記軌跡は使用者が任意の軌跡を水変色性シート材に形成してその軌跡上を移動する。
その際、適用されるシート材は、低屈折率顔料をバインダー樹脂に分散状態に固着させた多孔質層を支持体表面に設けた吸液状態と非吸液状態で多孔質層の透明性を異にする水変色性シートを用いると、多孔質層が吸液した状態で下層の色調を視認できるため、明瞭な軌跡を確認できる。
【００１６】
前記水変色性シート材は、低屈折率顔料をバインダー樹脂に分散状態に固着させた多孔質層を支持体表面に設けた、吸液状態と非吸液状態で前記多孔質層の透明性を異にするシートであって、多孔質層が吸液した状態で下層の色調を視認できるため、明瞭な水の軌跡を確認できる。
前記支持体の材質は特に限定されるものではなく、紙、合成紙、編物、織物、不織布等の布帛、合成皮革、レザー、プラスチック、金属、ガラス、陶磁器、木材、石材等が挙げられる。
前記支持体の形状は特に限定されるものではなく、平面形状、シート状の他、凹凸を有する形状であってもよい。
水変色性シート材の支持体として布帛を用いる場合、前記多孔質層の皮膜形成性の点で、布帛表面の平滑性に優れる織物が好適に用いられる。
布帛表面の平滑性が悪い場合や、インキ等の布帛内部への浸透性が大きく、前記多孔質層の皮膜形成性が悪い場合には、布帛にはっ水加工等の処理を施すことにより、前記多孔質層の皮膜形成性を向上させることもできる。
また、支持体として布帛を用いる場合、目付け量が３０〜１０００ｇ／ｍ２の範囲にある布帛が好適に用いられる。目付け量が３０ｇ／ｍ２未満の系では、水の吸収性が不均一且つ不十分であり、明瞭な下層の色を視認し難くなる。また、１０００ｇ／ｍ２を超えると布帛の肉厚が必要以上に肉厚となり、シート自体が大面積の系にあっては、折り畳み保存性や軽量性を損なう上、非経済的である。
なお、布帛の下面には、ポリオレフィン系樹脂、可塑剤をブレンドして得た塩化ビニル樹脂等の軟質化プラスチック、スチレン系、ウレタン系、ポリエステル系、ポリアミド系、ポリブタジエン系、フッ素系等の熱可塑性エラストマーからなる、１μｍ〜３ｍｍ程度の厚みの樹脂層を汎用の手段により貼着又は縫製して、積層形態となすことができる。
前記において、１μｍ未満の系では、持久性が不十分であり、一方、３ｍｍを超える系では、折り畳み性に難がある。前記シートを積層することにより、誤って水をシート表面に零したり、過飽和の水を吸収させた場合における、シート背面よりの水漏れによる汚染を回避できると共に、滑り止め機能を果たすこともできる。
【００１７】
更に、前記支持体と多孔質層の間に一般染料や顔料、蛍光染料や顔料を含む非変色性インキ、金属光沢顔料を含むインキにより着色層を設けることもできる。
また、温度変化により可逆的に変色する可逆熱変色性材料を含む熱変色層（像）を設けることにより、水による様相変化と共に熱又は冷熱による様相変化を付与することもできる。
【００１８】
前記多孔質層は、低屈折率顔料をバインダー樹脂と共に分散状態に固着させた層であり、非吸液状態と吸液状態で透明性が異なる層である。
前記低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、水を吸液すると良好な透明性を示すものである。
なお、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
又、前記低屈折率顔料は２種以上を併用することもできる。
前記低屈折率顔料の粒径は特に限定されるものではないが、０．０３〜１０．０μｍのものが好適に用いられる。
なお、好適に用いられる低屈折率顔料としては珪酸が挙げられる。
前記珪酸は、乾式法により製造させる珪酸であってもよいが、湿式法により製造される珪酸（以下、湿式法珪酸と称する）が特に効果的であり、この点を説明すると、珪酸は非晶質の無定形珪酸として製造され、その製造方法により、四塩化ケイ素等のハロゲン化ケイ素の熱分解等の気相反応を用いる乾式法によるもの（以下、乾式法珪酸と称する）と、ケイ酸ナトリウム等の酸による分解等の液相反応を用いる湿式法によるものとに大別され、乾式法珪酸と湿式法珪酸とでは構造が異なり、前記乾式法珪酸は珪酸が密に結合した三次元構造を形成するのに対して、湿式法珪酸は、珪酸が縮合して長い分子配列を形成した、所謂、二次元構造部分を有している。
従って、前記乾式法珪酸と比較して分子構造が粗になるため、湿式法珪酸を多孔質層に適用した場合、乾式法珪酸を用いる系と比較して非吸液状態における光の乱反射性に優れ、よって、常態での隠蔽性が大きくなるものと推察される。
又、前記多孔質層においては、水を吸液させるものであるから、湿式法珪酸は乾式法珪酸に比べて粒子表面にシラノール基として存在する水酸基が多く、親水性の度合いが大であり、好適に用いられる。
なお、前記多孔質層の常態での隠蔽性と吸液状態での透明性を調整するために、湿式法珪酸と共に、他の低屈折率顔料を併用することもできる。
【００１９】
前記多孔質層中の低屈折率顔料は、粒子径、比表面積、吸油量等の性状に左右されるが、常態での隠蔽性と吸液状態での透明性を共に満足するために塗布量が１〜３０ｇ／ｍ２であることが好ましく、より好ましくは、５〜２０ｇ／ｍ２である。１ｇ／ｍ２未満では、常態で十分な隠蔽性を得ることが困難であり、３０ｇ／ｍ２を越えると吸液時に十分な透明性を得ることが困難である。
前記低屈折率顔料はバインダー樹脂を結合剤として含むビヒクル中に分散され、支持体或いは着色層上に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
前記低屈折率顔料とこれらのバインダー樹脂の混合比率は、低屈折率顔料の種類及び性状に左右されるが、好ましくは、低屈折率顔料１質量部に対してバインダー樹脂固形分０．５〜２質量部であり、より好ましくは、０．８〜１．５質量部である。低屈折率顔料１質量部に対してバインダー樹脂固形分が０．５質量部未満の場合には、前記多孔質層の実用的な皮膜強度を得ることが困難であり、２質量部を越える場合には、前記多孔質層内部への水の浸透性が損なわれる傾向にある。
前記多孔質層は、一般的な塗膜と比較して着色剤に対するバインダー樹脂の混合比率が小さいため、十分な皮膜強度が得られ難い。そこで、耐擦過強度を高めるために、前記のバインダー樹脂のうち、ナイロン樹脂又はウレタン系樹脂を用いることが好ましい。
前記ウレタン系樹脂としては、ポリエステル系ウレタン樹脂、ポリカーボネート系ウレタン樹脂、ポリエーテル系ウレタン樹脂等があり、２種以上を併用することもできる。又、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
なお、前記ウレタン系樹脂は水性ウレタン系樹脂又は油性ウレタン系樹脂のいずれを用いることもできるが、本発明においては水性ウレタン系樹脂、殊に、ウレタン系エマルジョン樹脂やコロイド分散型ウレタン系樹脂が好適に用いられる。
前記ウレタン系樹脂は単独で用いることもできるが、皮膜に必要とされる性能に応じて、他のバインダー樹脂を併用することもできる。ウレタン系樹脂以外のバインダー樹脂を併用する場合、実用的な皮膜強度を得るためには、前記多孔質層のバインダー樹脂中にウレタン系樹脂を固形分質量比率で３０％以上含有させることが好ましい。
前記バインダー樹脂において、架橋性のものは任意の架橋剤を添加して架橋させることにより、さらに皮膜強度を向上させることができる。
前記バインダー樹脂には、水との親和性に大小が存在するが、これらを組み合わせることにより、多孔質層中への浸透時間、浸透度合い、浸透後の乾燥の遅速を調整することができる。更には、適宜分散剤や界面活性剤を添加して前記調整をコントロールすることができる。
【００２０】
また、前記多孔質層には、公知の二酸化チタン被覆雲母、酸化鉄−二酸化チタン被覆雲母、酸化鉄被覆雲母、グアニン、絹雲母、塩基性炭酸鉛、酸性砒酸鉛、オキシ塩化ビスマス等の金属光沢顔料を添加したり、一般染料、顔料、可逆熱変色性材料を添加して色変化を多様にすることもできる。
【００２１】
前記多孔質層は、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等により形成できる。
【００２２】
前記水変色性シート材の多孔質層に水を付着させる方法としては、指を水で濡らして接触させて吸水状態とすることも可能であるが、先端部に筆穂や繊維ペン体等を有する筆記又は塗布具、容器内に水を収容し、且つ、容器内の水を導出する繊維体や刷毛を設けた筆記具又は塗布具、スタンプ具等の水付着具を用いることができる。
なお、好ましい水付着具としては、容器内に水を収容し、且つ、容器内の水を導出する連続気孔を有するプラスチック多孔体又は繊維加工体をペン先部材として適用した筆記具又は塗布具、スタンプ具であり、携帯性と利便性を満足させる。
前記における連続気孔を有するプラスチック多孔体又は繊維加工体は、水を適宜量、吸収し、吐出させるものであればよく、ポリオレフィン系、ポリウレタン系、ポリエステル系、その他各種プラスチックの連続気孔体や繊維を集束させた毛筆状のもの、繊維の樹脂加工又は熱溶着加工によるもの、フェルト、不織布形態のものを挙げることができ、形状、寸法は目的に応じて任意に設定できる。
前記筆記具又は塗布具形態の水付着具を用いる場合、幅の異なる抜き像を有するステンシルを併用することにより、水変色性シート材に正確な幅の異なる像を形成できるため、移動玩具に所望の動作を正確に行わせることができる。
前記幅の異なる抜き像は、複数の互いに平行な直線形状の抜き像（バーコード形状の像）であることにより、水変色性シート材にバーコード形状の像を形成できるため、移動玩具に複雑且つ選択的に所望の動作を正確に行わせることができる。
また、前記水付着具として、印面に幅の異なる印像を有するスタンプ具を用いることによっても水変色性シート材に正確な幅の異なる像を形成できるため、移動玩具に所望の動作を正確に行わせることができる。
前記幅の異なる印像は、複数の互いに平行な直線形状の印像（バーコード形状の像）であることにより、水変色性シート材にバーコード形状の像を形成できるため、移動玩具に複雑且つ選択的に所望の動作を正確に行わせることができる。
なお、前記スタンプ具は、印面に幅の異なる印像を有するローラー式のスタンプ具であってもよい。
【００２３】
前記移動玩具と水変色性シート材をセットにすることにより携帯性に優れた移動玩具セットが構成される。
また、前記移動玩具と水変色性シート材と水付着具をセットにすることにより利便性と携帯性に優れた移動玩具セットが構成される。
【実施例】
【００２４】
実施例１（図１乃至４参照）
移動玩具の作製
プラスチック製の本体２内部の左後方に、モーター３と減速ギヤ４と移動体５（車輪）を設けてなり、前記移動体５はモーター３の回転によってギヤ４を介して回転するよう構成してなる。
また、前記本体２の右後方には、モーター３′と減速ギヤ４′と移動体５′（車輪）を同様に取り付けてなる。
本体２の前方には乾燥状態と吸液状態を検知する通電検知素子６を本体裏面に貫通した状態で取り付けられ、該素子は回路７に電気的に接続されてなる。
なお、本体２の前方には一対の車輪が本体に取り付けられてなり、前記車輪は玩具を載置した際、載置面に接触することなく、且つ、回転しない模擬車輪である。
本体２外部の略中央部には全方向に回転可能の車輪５″を設けてなる（図３参照）。
前記回路７はモーター３、３′及び電源８と電気的に接続されてなり、且つ、電源８にはＯＮ−ＯＦＦスイッチ９が接続されてなる。
前記のようにして得られる自動車形態の移動玩具１は、電源スイッチをＯＮにして水変色性シート材上に載置すると、モーター３、３′を回転させ、その結果、ギヤ４、４′を介して移動体が回転するため直進する。
【００２５】
移動時に水変色性シート材に形成された１０ｍｍ幅の水の軌跡に達し、軌跡に対して垂直方向に通過すると、通電検知素子６が水を含む軌跡上を通過した時間を回路が検知してモーター３、３′を停止させ、その結果、ギヤ４、４′を介して移動体が停止するため、移動玩具は停止する。
【００２６】
また、移動時に水変色性シート材に形成された２０ｍｍ幅の水の軌跡に達し、軌跡に対して垂直方向に通過すると、通電検知素子６が水を含む軌跡上を通過した時間を回路が検知してモーター３、３′の回転速度を速め、その結果、ギヤ４、４′を介して移動体が回転を速めるため、移動玩具は加速する。
【００２７】
また、移動時に水変色性シート材に形成された１０ｍｍ幅の水の軌跡と、２０ｍｍ幅の水の軌跡（その間に１０ｍｍの乾燥した軌跡を有する）からなる互いに平行な直線形状の軌跡に対して垂直方向に通過すると、通電検知素子６が水を含む１０ｍｍ幅の軌跡上と、乾燥した１０ｍｍ幅の軌跡上と、水を含む２０ｍｍ幅の軌跡上を通過した時間を回路７が検知してモーター３の回転速度を速め、その結果、ギヤ４を介して移動体５が回転を速めるため、移動玩具１は右折する（図２参照）。
【００２８】
また、移動時に水変色性シート材に形成された２０ｍｍ幅の水を含む軌跡と、１０ｍｍ幅の水を含む軌跡（その間に１０ｍｍの乾燥した軌跡を有する）からなる互いに平行な直線形状の軌跡に対して垂直方向に通過すると、通電検知素子６が水を含む２０ｍｍ幅の軌跡上と、乾燥した１０ｍｍ幅の軌跡上と、水を含む１０ｍｍ幅の軌跡上を通過した時間を回路７が検知してモーター３′の回転速度を速め、その結果、ギヤ４′を介して移動体５′が回転を速めるため、移動玩具１は左折する。
【００２９】
実施例２
水変色性シート材の作製
支持体としてピンク色ポリエステルサテン生地（目付け量９０ｇ／ｍ２）上の全面に、湿式法微粉末シリカ〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水４７．５部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、８０メッシュのスクリーン版にてベタ印刷し、乾燥硬化させて多孔質層を形成して水変色性シート材を得た。
前記水変色性シート材は、乾燥状態では全面が白色に視認され、吸液状態ではピンク色に視認されるものである。
【００３０】
移動玩具セットの作製
前記水変色性シート材と、実施例１の移動玩具とを組み合わせて移動玩具セットを得た。
前記移動玩具セットは、水変色性シート材に水を付着させると、その部分の多孔質層が透明化して、ピンク色の軌跡が形成される。
前記水変色性シート材に移動玩具を載置して作動させると、軌跡を通過した際に実施例１と同様の挙動を示すことができた。
なお、前記軌跡は水が未乾燥状態では保持されており、水が乾燥すると不可視状態となり、再び元の白色になる。
【００３１】
実施例３
移動玩具セットの作製
実施例１の移動玩具と、実施例２の水変色性シート材と、軸筒内部に水吸収体を収容し、軸筒先端部には前記水吸収体と接続された繊維加工体からなるペン先を設け、且つ、軸筒後端に外部と連通する孔を設けた水付着具（塗布具）とを組み合わせて移動玩具セットを得た。
【００３２】
前記移動玩具セットは、水変色性シート材に水付着具を用いて水を付着させると、その部分の多孔質層が透明化して、ピンク色の軌跡が形成される。
前記水変色性シート材に移動玩具を載置して作動させると、軌跡を通過した際に実施例１と同様の挙動を示すことができた。
なお、前記軌跡は水が未乾燥状態では保持されており、水が乾燥すると不可視状態となり、再び元の白色になる。
【００３３】
実施例４
移動玩具セットの作製
実施例１の移動玩具と、実施例２の水変色性シート材と、実施例３の水付着具と、幅の異なる複数の互いに平行な直線形状の抜き像を有する複数のステンシルとを組み合わせて移動玩具セットを得た。
【００３４】
前記移動玩具セットは、水変色性シート材にステンシルを介して水付着具を用いて水を付着させると、その部分の多孔質層が透明化して、ピンク色の軌跡が形成される。
前記水変色性シート材に移動玩具を載置して作動させると、軌跡を通過した際に実施例１と同様の挙動を示すことができた。
ついで、別のステンシルを用いて軌跡を形成し、水変色性シート材に移動玩具を載置して作動させると、軌跡を通過した際に別の挙動を示すことができた。
なお、前記軌跡は水が未乾燥状態では保持されており、水が乾燥すると不可視状態となり、再び元の白色になる。
【００３５】
実施例５
移動玩具セットの作製
実施例１の移動玩具と、実施例２の水変色性シート材と、幅の異なる複数の互いに平行な直線形状の印像を有する複数のスタンプ具とを組み合わせて移動玩具セットを得た。
【００３６】
前記移動玩具セットは、水変色性シート材にスタンプ具を用いて水を付着させると、その部分の多孔質層が透明化して、ピンク色の軌跡が形成される。
前記水変色性シート材に移動玩具を載置して作動させると、軌跡を通過した際に実施例１と同様の挙動を示すことができた。
ついで、別のスタンプ具を用いて軌跡を形成し、水変色性シート材に移動玩具を載置して作動させると、軌跡を通過した際に別の挙動を示すことができた。
なお、前記軌跡は水が未乾燥状態では保持されており、水が乾燥すると不可視状態となり、再び元の白色になる。
【００３７】
実施例６
移動玩具の作製
プラスチック製の本体内部の左後方に、モーターと減速ギヤと移動体（車輪）を設けてなり、前記移動体はモーターの回転によってギヤを介して回転するよう構成してなる。
本体の前方には乾燥状態と吸液状態を検知する通電検知素子を本体裏面に貫通した状態で取り付けられ、該素子は回路に電気的に接続されてなる。
なお、本体の前方には一対の車輪と、報知部としてスピーカーが本体に取り付けられてなる。
前記回路はモーターと電源と報知部とを電気的に接続されてなり、且つ、電源にはＯＮ−ＯＦＦスイッチが接続されてなる。
前記のようにして得られる自動車形態の移動玩具は、電源スイッチをＯＮにして水変色性シート材上に載置すると、モーターを回転させ、その結果、ギヤを介して移動体が回転するため、移動玩具は直進する。
【００３８】
移動時に水変色性シート材に形成された１０ｍｍ幅の水の軌跡に達し、軌跡に対して垂直方向に通過すると、通電検知素子が水を含む軌跡上を通過した時間を回路が検知して報知部からエンジン音を発する。
【００３９】
また、移動時に水変色性シート材に形成された２０ｍｍ幅の水の軌跡に達し、軌跡に対して垂直方向に通過すると、通電検知素子が水を含む軌跡上を通過した時間を回路が検知して報知部からクラクションの音を発する。
【００４０】
また、移動時に水変色性シート材に形成された１０ｍｍ幅の水の軌跡と、２０ｍｍ幅の水の軌跡（その間に１０ｍｍの乾燥した軌跡を有する）からなる互いに平行な直線形状の軌跡に対して垂直方向に通過すると、通電検知素子が水を含む１０ｍｍ幅の軌跡上と、乾燥した１０ｍｍ幅の軌跡上と、水を含む２０ｍｍ幅の軌跡上を通過した時間を回路が検知して報知部から会話の音を発する。
【００４１】
また、移動時に水変色性シート材に形成された２０ｍｍ幅の水の軌跡と、１０ｍｍ幅の水の軌跡（その間に１０ｍｍの乾燥した軌跡を有する）からなる互いに平行な直線形状の軌跡に対して垂直方向に通過すると、通電検知素子が水を含む２０ｍｍ幅の軌跡上と、乾燥した１０ｍｍ幅の軌跡上と、水を含む１０ｍｍ幅の軌跡上を通過した時間を回路が検知して報知部からメロディーを発する。
【００４２】
実施例７
水変色性シート材の作製
支持体として青色ポリエステルサテン生地（目付け量９０ｇ／ｍ２）上の全面に、湿式法微粉末シリカ〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水４７．５部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、８０メッシュのスクリーン版にてベタ印刷し、乾燥硬化させて多孔質層を形成して水変色性シート材を得た。
前記水変色性シート材は、乾燥状態では全面が白色に視認され、吸液状態では青色に視認されるものである。
【００４３】
移動玩具セットの作製
前記水変色性シート材と、実施例６の移動玩具とを組み合わせて移動玩具セットを得た。
前記移動玩具セットは、水変色性シート材に水を付着させると、その部分の多孔質層が透明化して、青色の軌跡が形成される。
前記水変色性シート材に移動玩具を載置して作動させると、軌跡を通過した際に実施例６と同様の挙動を示すことができた。
なお、前記軌跡は水が未乾燥状態では保持されており、水が乾燥すると不可視状態となり、再び元の白色になる。
【００４４】
実施例８
移動玩具セットの作製
実施例６の移動玩具と、実施例７の水変色性シート材と、軸筒内部に水吸収体を収容し、軸筒先端部には前記水吸収体と接続された繊維加工体からなるペン先を設け、且つ、軸筒後端に外部と連通する孔を設けた水付着具（塗布具）とを組み合わせて移動玩具セットを得た。
【００４５】
前記移動玩具セットは、水変色性シート材に水付着具を用いて水を付着させると、その部分の多孔質層が透明化して、青色の軌跡が形成される。
前記水変色性シート材に移動玩具を載置して作動させると、軌跡を通過した際に実施例６と同様の挙動を示すことができた。
なお、前記軌跡は水が未乾燥状態では保持されており、水が乾燥すると不可視状態となり、再び元の白色になる。
【００４６】
実施例９
移動玩具セットの作製
実施例６の移動玩具と、実施例７の水変色性シート材と、実施例８の水付着具と、幅の異なる複数の互いに平行な直線形状の抜き像を有する複数のステンシルとを組み合わせて移動玩具セットを得た。
【００４７】
前記移動玩具セットは、水変色性シート材にステンシルを介して水付着具を用いて水を付着させると、その部分の多孔質層が透明化して、青色の軌跡が形成される。
前記水変色性シート材に移動玩具を載置して作動させると、軌跡を通過した際に実施例６と同様の挙動を示すことができた。
ついで、別のステンシルを用いて軌跡を形成し、水変色性シート材に移動玩具を載置して作動させると、軌跡を通過した際に別の挙動を示すことができた。
なお、前記軌跡は水が未乾燥状態では保持されており、水が乾燥すると不可視状態となり、再び元の白色になる。
【００４８】
実施例１０
移動玩具セットの作製
実施例６の移動玩具と、実施例７の水変色性シート材と、幅の異なる複数の互いに平行な直線形状の印像を有する複数のスタンプ具とを組み合わせて移動玩具セットを得た。
【００４９】
前記移動玩具セットは、水変色性シート材にスタンプ具を用いて水を付着させると、その部分の多孔質層が透明化して、青色の軌跡が形成される。
前記水変色性シート材に移動玩具を載置して作動させると、軌跡を通過した際に実施例６と同様の挙動を示すことができた。
ついで、別のスタンプ具を用いて軌跡を形成し、水変色性シート材に移動玩具を載置して作動させると、軌跡を通過した際に別の挙動を示すことができた。
なお、前記軌跡は水が未乾燥状態では保持されており、水が乾燥すると不可視状態となり、再び元の白色になる。
【００５０】
実施例１１（図５乃至９参照）
移動玩具の作製
プラスチック製の本体２内部の左後方に、モーター３と減速ギヤ４と移動体５（車輪）を設けてなり、前記移動体５はモーター３の回転によってギヤ４を介して回転するよう構成してなる。
また、前記本体２の右後方には、モーター３′と減速ギヤ４′と移動体５′（車輪）を同様に取り付けてなる。
本体２の前方には乾燥状態と吸液状態を検知する通電検知素子Ａ（６１）、通電検知素子Ｂ（６２）、通電検知素子Ｃ（６３）を本体裏面に貫通した状態で取り付けられ、各素子は回路７に電気的に接続されてなる。
なお、本体２の前方には一対の車輪が本体に取り付けられてなり、前記車輪は玩具を載置した際、載置面に接触することなく、且つ、回転しない模擬車輪である。
更に、報知部１１としてスピーカーが本体に取り付けられてなる。
本体２外部の略中央部には全方向に回転可能の車輪５″を設け、後部には進行方向に対して垂直方向に形成した軌跡を検知するモードと、軌跡上を走行するモードを切り替える切替スイッチを設けてなる。
前記回路７はモーター３と電源８と報知部１１と切替スイッチを電気的に接続されてなり、且つ、電源８にはＯＮ−ＯＦＦスイッチ９が接続されてなる。
前記のようにして得られる自動車形態の移動玩具は、電源スイッチ９をＯＮにし、切替スイッチを進行方向に対して垂直方向に形成した軌跡を検知するモードに切り替えて水変色性シート材上に載置すると、モーター３、３′を回転させ、その結果、ギヤ４、４′を介して移動体５、５′が回転するため、移動玩具１は直進する。
【００５１】
移動時に水変色性シート材に形成された１０ｍｍ幅の水の軌跡に達し、軌跡に対して垂直方向に通過すると、通電検知素子が水を含む軌跡上を通過した時間を回路が検知して報知部からエンジン音を発する。
【００５２】
また、移動時に水変色性シート材に形成された２０ｍｍ幅の水の軌跡に達し、軌跡に対して垂直方向に通過すると、通電検知素子が水を含む軌跡上を通過した時間を回路が検知して報知部からクラクションの音を発する。
【００５３】
また、移動時に水変色性シート材に形成された１０ｍｍ幅の水の軌跡と、２０ｍｍ幅の水の軌跡（その間に１０ｍｍの乾燥した軌跡を有する）からなる互いに平行な直線形状の軌跡に対して垂直方向に通過すると、通電検知素子が水を含む１０ｍｍ幅の軌跡上と、乾燥した１０ｍｍ幅の軌跡上と、水を含む２０ｍｍ幅の軌跡上を通過した時間を回路が検知して移動体は停止すると共に、報知部から会話の音を発する。
【００５４】
また、移動時に水変色性シート材に形成された２０ｍｍ幅の水の軌跡と、１０ｍｍ幅の水の軌跡（その間に１０ｍｍの乾燥した軌跡を有する）からなる互いに平行な直線形状の軌跡に対して垂直方向に通過すると、通電検知素子が水を含む２０ｍｍ幅の軌跡上と、乾燥した１０ｍｍ幅の軌跡上と、水を含む１０ｍｍ幅の軌跡上を通過した時間を回路が検知して移動体は停止すると共に、報知部からメロディーを発する。
【００５５】
次いで、切替スイッチを軌跡上を走行するモードに切り替えた後、水変色性シート材の軌跡（水変色性シート材に形成した水による軌跡）上に載置すると、素子Ａ（６１）、Ｂ（６２）、Ｃ（６３）が全て通電した状態を回路７が検知してモーター３、３′を回転させ、その結果、ギヤ４、４′を介して移動体５、５′が回転するため、移動玩具１は直進する（図５）。
【００５６】
移動時に軌跡が右方向に曲がる位置まで達すると、素子Ｂ（６２）が軌跡から外れた時点で、素子Ａ（６１）と素子Ｃ（６３）のみ通電した状態を回路７が検知してモーター３を回転させ、その結果、ギヤ４を介して移動体５が回転するため、移動玩具１は右折する（図６）。
また、移動時に軌跡が左方向に曲がる位置まで達すると、素子Ｃ（６３）が軌跡から外れた時点で、素子Ａ（６１）と素子Ｂ（６２）のみ通電した状態を回路９が検知してモーター３′を回転させ、その結果、ギヤ４′を介して移動体５′が回転するため、移動玩具１は左折する（図７）。
【００５７】
前記移動玩具１は、軌跡を外れて全ての素子が通電しない状態になると回路７がそれを検知してモーター３′を停止し、モーター３を回転させ、その結果、ギヤ４を介して移動体５が回転するため、移動玩具１は右回転し、１分間その状態が続くと自動的に停止する（図示せず）。
【００５８】
実施例１２
水変色性シート材の作製
支持体として緑色ポリエステルサテン生地（目付け量９０ｇ／ｍ２）上の全面に、湿式法微粉末シリカ〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水４７．５部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、８０メッシュのスクリーン版にてベタ印刷し、乾燥硬化させて多孔質層を形成して水変色性シート材を得た。
前記水変色性シート材は、乾燥状態では全面が白色に視認され、吸液状態では緑色に視認されるものである。
【００５９】
移動玩具セットの作製
前記水変色性シート材と、実施例１１の移動玩具とを組み合わせて移動玩具セットを得た。
前記移動玩具セットは、水変色性シート材に水を付着させると、その部分の多孔質層が透明化して、緑色の軌跡が形成される。
前記水変色性シート材に移動玩具を載置して作動させると、軌跡を通過した際に実施例１１と同様の挙動を示すことができた。
なお、前記軌跡は水が未乾燥状態では保持されており、水が乾燥すると不可視状態となり、再び元の白色になる。
【００６０】
実施例１３
移動玩具セットの作製
実施例１１の移動玩具と、実施例１２の水変色性シート材と、軸筒内部に水吸収体を収容し、軸筒先端部には前記水吸収体と接続された繊維加工体からなるペン先を設け、且つ、軸筒後端に外部と連通する孔を設けた水付着具（塗布具）とを組み合わせて移動玩具セットを得た。
【００６１】
前記移動玩具セットは、水変色性シート材に水付着具を用いて水を付着させると、その部分の多孔質層が透明化して、緑色の軌跡が形成される。
前記水変色性シート材に移動玩具を載置して作動させると、軌跡を通過した際に実施例１１と同様の挙動を示すことができた。
なお、前記軌跡は水が未乾燥状態では保持されており、水が乾燥すると不可視状態となり、再び元の白色になる。
【００６２】
実施例１４
移動玩具セットの作製
実施例１１の移動玩具と、実施例１２の水変色性シート材と、実施例１３の水付着具と、幅の異なる互いに平行な直線形状の抜き像を有する複数のステンシルとを組み合わせて移動玩具セットを得た。
【００６３】
前記移動玩具セットは、水変色性シート材にステンシルを介して水付着具を用いて水を付着させると、その部分の多孔質層が透明化して、緑色の軌跡が形成される。
前記水変色性シート材に移動玩具を載置して作動させると、軌跡を通過した際に実施例１１と同様の挙動を示すことができた。
ついで、別のステンシルを用いて軌跡を形成し、水変色性シート材に移動玩具を載置して作動させると、軌跡を通過した際に別の挙動を示すことができた。
なお、前記軌跡は水が未乾燥状態では保持されており、水が乾燥すると不可視状態となり、再び元の白色になる。
【００６４】
実施例１５
移動玩具セットの作製
実施例１１の移動玩具と、実施例１２の水変色性シート材と、幅の異なる複数の互いに平行な直線形状の印像を有する複数のスタンプ具とを組み合わせて移動玩具セットを得た。
【００６５】
前記移動玩具セットは、水変色性シート材にスタンプ具を用いて水を付着させると、その部分の多孔質層が透明化して、緑色の軌跡が形成される。
前記水変色性シート材に移動玩具を載置して作動させると、軌跡を通過した際に実施例１１と同様の挙動を示すことができた。
ついで、別のスタンプ具を用いて軌跡を形成し、水変色性シート材に移動玩具を載置して作動させると、軌跡を通過した際に別の挙動を示すことができた。
なお、前記軌跡は水が未乾燥状態では保持されており、水が乾燥すると不可視状態となり、再び元の白色になる。
【符号の説明】
【００６６】
１  移動玩具
２  本体
３，３′  モーター
４，４′  ギア
５，５′，５″  車輪
６  通電検知素子
６１  通電検知素子Ａ
６２  通電検知素子Ｂ
６３  通電検知素子Ｃ
７  回路
８  電源
９  電源スイッチ
１０  切替スイッチ
１１  報知部
１２  軌跡
【図１】
2015229043.tif 000003
【図２】
2015229043.tif 000004
【図３】
2015229043.tif 000005
【図４】
2015229043.tif 000006
【図５】
2015229043.tif 000007
【図６】
2015229043.tif 000008
【図７】
2015229043.tif 000009
【図８】
2015229043.tif 000010
【図９】
2015229043.tif 000011